(57)【要約】【課題】整流素子の基本波インピーダンスと信号源インピーダンスとの差が大きい場合においても、製作時における製造誤差による整合のずれを小さくする整流器を得る。【解決手段】基本波において、高周波の基本波で１／４波長となるインピーダンス変成器３により、整流素子１の基本波インピーダンスＺｄを信号源インピーダンスＺ０近傍の値となる中間インピーダンスＺｘに変換すると共に、整合回路４により、中間インピーダンスＺｘと信号源インピーダンスＺ０の整合を取ることを特徴とする。  これにより、整流素子１の基本波インピーダンスＺｄと信号源インピーダンスＺ０との差が大きい場合においても、整合回路４の電気長に対する整流器の基本波入力インピーダンス１／Ｙｉｎ―の変化を小さくすることが可能となり、整流器の製作時における製造誤差による整合のずれを小さくできる。【選択図】図１
2014116783.tif 000002
【特許請求の範囲】
【請求項１】
高周波を直流に変換する整流素子と、
前記整流素子の後段に設けられ、高調波処理及び平滑化を行う出力フィルタと、
前記整流素子の前段に設けられ、前記高周波の基本波で１／４波長となるインピーダンス変成器と、
前記インピーダンス変成器の前段に設けられ、信号源からの高周波が入力される整合回路とを備え、
前記基本波において、
前記インピーダンス変成器により、前記整流素子の基本波インピーダンスを信号源インピーダンス近傍の値となる中間インピーダンスに変換すると共に、前記整合回路により、前記中間インピーダンスと前記信号源インピーダンスの整合を取ることを特徴とする整流器。
【請求項２】
前記インピーダンス変成器の前段であり、前記整合回路の後段に設けられ、少なくとも１つ以上の高調波を当該高調波短絡回路の出力端子において短絡する高調波短絡回路を備えたことを特徴とする請求項１記載の整流器。
【請求項３】
前記高調波短絡回路は、
少なくとも１つ以上の高調波に対してそれぞれ１／４波長となるオープンスタブからなり、該オープンスタブの一端が当該高周波短絡回路の入力端子と出力端子を結ぶ伝送線路に接続された構成であることを特徴とする請求項２記載の整流器。
【請求項４】
前記高調波短絡回路は、
少なくとも１つ以上の高調波に対してそれぞれ直列共振周波数を有する誘導素子と容量素子の直列共振回路からなり、該直列共振回路の一端が当該高周波短絡回路の入力端子と出力端子を結ぶ伝送線路に接続され、他端が接地された構成であることを特徴とする請求項２記載の整流器。
【請求項５】
前記高調波短絡回路は、
少なくとも１つ以上の高調波に対してそれぞれ１／４波長となるオープンスタブを含み、該オープンスタブの一端が当該高周波短絡回路の入力端子と出力端子を結ぶ伝送線路に接続され、
少なくとも１つ以上の高調波に対してそれぞれ直列共振周波数を有する誘導素子と容量素子の直列共振回路を含み、該直列共振回路の一端が前記伝送線路に接続され、他端が接地された構成であることを特徴とする請求項２記載の整流器。
【請求項６】
前記整合回路は、
基本波を通過させ、少なくとも１つ以上の高調波を反射する入力フィルタ部と、
基本波において、中間インピーダンスと信号源インピーダンスの整合を取る基本波整合部とを備えたことを特徴とする請求項１から請求項５のうちのいずれか１項記載の整流器。
【請求項７】
前記入力フィルタ部は、
それぞれの高調波に対して開放となる誘導素子と容量素子の並列共振回路の直列接続で構成されたことを特徴とする請求項６記載の整流器。
【請求項８】
前記中間インピーダンスは、前記信号源インピーダンスと等しいことを特徴とする請求項１から請求項７のうちのいずれか１項記載の整流器。
【発明の詳細な説明】
【技術分野】
【０００１】
この発明は、整流器の製作時において、製造誤差による整合のずれを小さくする整流器に関する。
【背景技術】
【０００２】
従来の整流器として、ＲＦ（高周波）からＤＣ（直流）に変換する整流素子と、整流素子の後段に高調波処理及び平滑化を行う出力フィルタと、整流素子の前段に整合回路とを備え、整合回路の入力端子に信号源からのＲＦが入力され、出力フィルタの出力端子に負荷が接続されてＤＣが出力される整流器がある。
従来の整流器では、整合回路により、整流素子の基本波インピーダンスと信号源インピーダンスの整合を取っている（例えば、下記非特許文献１参照）。
【先行技術文献】
【非特許文献】
【０００３】
【非特許文献１】２４ＧＨｚ帯Ｆ級負荷装荷レクテナの改良  電子情報技術学会  信学技報  WPT2011-26 May 2012
【発明の概要】
【発明が解決しようとする課題】
【０００４】
従来の整流器は以上のように構成されているので、整流素子の基本波インピーダンスと信号源インピーダンスとの差が大きい場合には、整合回路の電気長に対する整流素子の基本波インピーダンスの変化が大きいため、整流器の製作時における製造誤差による整合のずれが大きいという課題があった。
【０００５】
この発明は、前記のような課題を解決するためになされたものであり、整流素子の基本波インピーダンスと信号源インピーダンスとの差が大きい場合においても、製作時における製造誤差による整合のずれを小さくする整流器を得ることを目的とする。
【課題を解決するための手段】
【０００６】
この発明の整流器は、高周波を直流に変換する整流素子と、整流素子の後段に設けられ、高調波処理及び平滑化を行う出力フィルタと、整流素子の前段に設けられ、高周波の基本波で１／４波長となるインピーダンス変成器と、インピーダンス変成器の前段に設けられ、信号源からの高周波が入力される整合回路とを備え、基本波において、インピーダンス変成器により、整流素子の基本波インピーダンスを信号源インピーダンス近傍の値となる中間インピーダンスに変換すると共に、整合回路により、中間インピーダンスと信号源インピーダンスの整合を取ることを特徴とする。
【発明の効果】
【０００７】
この発明によれば、基本波において、高周波の基本波で１／４波長となるインピーダンス変成器により、整流素子の基本波インピーダンスを信号源インピーダンス近傍の値となる中間インピーダンスに変換すると共に、整合回路により、中間インピーダンスと信号源インピーダンスの整合を取ることを特徴とする。
これにより、整流素子の基本波インピーダンスと信号源インピーダンスとの差が大きい場合においても、整合回路の電気長に対する整流器の基本波入力インピーダンスの変化を小さくすることが可能となり、整流器の製作時における製造誤差による整合のずれを小さくすることができる効果がある。
【図面の簡単な説明】
【０００８】
【図１】この発明の実施の形態１による整流器を示す構成図である。
【図２】整合回路の詳細を示す構成図である。
【図３】整合回路を構成する伝送線路に対する正規化入力アドミタンスの変化量と規格化した中間インピーダンスとの関係を示す特性図である。
【図４】整合回路を構成するオープンスタブに対する正規化入力アドミタンスの変化量と規格化した中間インピーダンスとの関係を示す特性図である。
【図５】他の詳細を示す構成図である。
【図６】入力フィルタ部の詳細を示す構成図である。
【図７】この発明の実施の形態２による整流器を示す構成図である。
【図８】高調波短絡回路の詳細を示す構成図である。
【図９】他の高調波短絡回路の詳細を示す構成図である。
【図１０】他の高調波短絡回路の詳細を示す構成図である。
【発明を実施するための形態】
【０００９】
以下、この発明の整流器の好適な実施の形態につき図面を用いて説明する。
実施の形態１．
図１は、この発明の実施の形態１による整流器の構成図である。
この発明の実施の形態１による整流器は、図１に示すように、ＲＦ（高周波）からＤＣ（直流）に変換する整流素子１と、整流素子１の後段に高調波処理及び平滑化を行う出力フィルタ２と、整流素子１の前段に基本波で１／４波長となるインピーダンス変成器３と、インピーダンス変成器３の前段に整合回路４とを備え、整合回路４の入力端子５に信号源からのＲＦが入力され、出力フィルタ２の出力端子６に負荷が接続されてＤＣが出力される。
又、基本波において、インピーダンス変成器３により、整流素子１の基本波インピーダンスを信号源インピーダンス近傍の値となる中間インピーダンスに変換すると共に、整合回路４は、中間インピーダンスと信号源インピーダンスの整合を取る。
【００１０】
次に動作について説明する。
整流器にＲＦが入力された場合、非線形素子である整流素子１がオン／オフを繰り返し、高調波を発生させる。
出力フィルタ２により、偶数次高調波を短絡、奇数次高調波を開放とした場合、整流素子１の端子間には矩形波に近い電圧波形が生じ、出力フィルタ２には整流された電流が流れる。
この整流された電流を出力フィルタ２により平滑化することで、出力端子６にはＤＣが出力される。
整流素子１の端子間に逆方向電圧が印加された状態の、基本波におけるインピーダンスを整流素子１の基本波インピーダンスＺｄとする。
【００１１】
基本波で１／４波長となるインピーダンス変成器３により、整流素子１の基本波インピーダンスＺｄを、信号源インピーダンスＺ０近傍の値となる中間インピーダンスＺｘに変換される。
中間インピーダンスＺｘは、次式（１）で表される。
2014116783.tif 000003
ただし、Ｚｃはインピーダンス変成器３の特性インピーダンスである。
【００１２】
整合回路４により、中間インピーダンスＺｘと信号源インピーダンスＺ０が整合を取られ、整流器に入力されたＲＦは、全て整流素子１に入力される。
ここで、図２に示すように、整合回路４は、伝送線路７（特性インピーダンスＺ１，電気長θ１）及び、伝送線路７に接続されたオープンスタブ８（特性インピーダンスＺ２、電気長θ２）で構成されるものとする。
【００１３】
入力端子５から整流素子１を見た正規化入力アドミタンスＹｉｎ―は次式（２）で表される。
2014116783.tif 000004
整合条件は、Ｙｉｎ―のコンダクタンス成分が１、サセプタンス成分が０であることから、整合時のθ１及びθ２は、それぞれ次式（３），（４）で表される。
ただし、伝送線路７の特性インピーダンスＺ１及びオープンスタブ８の特性インピーダンスＺ２は、信号源インピーダンスＺ０に等しいものとした。
2014116783.tif 000005
2014116783.tif 000006
【００１４】
式（２）及び式（３）より、整合時において整合回路４を構成する伝送線路７の電気長θ１に対する正規化入力アドミタンスＹｉｎ―の変化量ｍ１は次式（５）で表される。
2014116783.tif 000007
式（２）及び式（４）より、整合時において整合回路４を構成するオープンスタブ８の電気長θ２に対する正規化入力アドミタンスＹｉｎ―の変化量ｍ２は次式（６）で表される。
2014116783.tif 000008
図３に規格化した中間インピーダンスＺｘ／Ｚ０とｍ１の関係を示す。
図４に規格化した中間インピーダンスＺｘ／Ｚ０とｍ２の関係を示す。
ここでは、中間インピーダンスＺｘを信号源インピーダンスＺ０で規格化している。
【００１５】
図３及び図４より、中間インピーダンスＺｘと信号源インピーダンスＺ０との差が小さい程、正規化入力アドミタンスＹｉｎ―の変化量ｍ１及びｍ２は小さいことがわかる。
したがって、基本波で１／４波長となるインピーダンス変成器３により、整流素子１の基本波インピーダンスＺｄを信号源インピーダンスＺ０近傍の値となる中間インピーダンスＺｘに変換し、整合回路４により、中間インピーダンスＺｘと信号源インピーダンスＺ０の整合を取ることで、整合回路４の電気長に対する整流器の基本波入力インピーダンス１／Ｙｉｎ―の変化量は小さくなることから、整流器の製作時における製造誤差による整合のずれを小さくできる。
【００１６】
尚、整合回路４は、図５に示すように、基本波を通過させ、少なくとも１つ以上の高調波を反射する入力フィルタ部４１と、基本波において、中間インピーダンスＺｘと信号源インピーダンスＺ０の整合を取る基本波整合部４２とで構成されていても良い。
【００１７】
又、整合回路４に備えた入力フィルタ部４１は、図６に示すように、それぞれの高調波に対して開放となる誘導素子Ｌと容量素子Ｃの並列共振回路の直列接続で構成されていても良い。
図６では、２次高調波に対して開放となる誘導素子Ｌ４１１及び容量素子Ｃ４１１の並列共振回路４１１と、３次高調波に対して開放となる誘導素子Ｌ４１２及び容量素子Ｃ４１２の並列共振回路４１２の直列接続で構成された入力フィルタ部４１を示している。
【００１８】
更に、基本波で１／４波長となるインピーダンス変成器３により、整流素子１の基本波インピーダンスＺｄを信号源インピーダンスＺ０に変換しても良い。
【００１９】
以上のように、この実施の形態１によれば、基本波において、高周波の基本波で１／４波長となるインピーダンス変成器３により、整流素子１の基本波インピーダンスＺｄを信号源インピーダンスＺ０近傍の値となる中間インピーダンスＺｘに変換すると共に、整合回路４により、中間インピーダンスＺｘと信号源インピーダンスＺ０の整合を取ることを特徴とする。
これにより、整流素子１の基本波インピーダンスＺｄと信号源インピーダンスＺ０との差が大きい場合においても、整合回路４の電気長に対する整流器の基本波入力インピーダンス１／Ｙｉｎ―の変化を小さくすることが可能となり、整流器の製作時における製造誤差による整合のずれを小さくできる。
【００２０】
実施の形態２．
図７は、この発明の実施の形態２による整流器の構成図である。
この発明の実施の形態２による整流器は、前記実施の形態１による整流器を構成するインピーダンス変成器３の前段であり、整合回路４の後段に、高調波短絡回路９を備えたものである。
それ以外は同様であるので、同様な部分に同じ符号を付記し、説明を省略する。
高調波短絡回路９は、少なくとも１つ以上の高調波を、高調波短絡回路９の出力端子９ｂにおいて短絡するものである。
【００２１】
次に動作について説明する。
高いＲＦ−ＤＣ変換効率を得るには、整流素子１から入力端子５側を見たインピーダンスを、偶数次高調波で短絡、奇数次高調波で開放とするのが良い（例えば、前記非特許文献１参照）。
【００２２】
図７に示すように、インピーダンス変成器３の前段に高調波短絡回路９を備え、高調波短絡回路９により、少なくとも１つ以上の高調波に対して、高調波短絡回路９の出力端子９ｂにおいて短絡する。
この高調波短絡回路９と、基本波で１／４波長となるインピーダンス変成器３により、整流素子１から入力端子５側を見たインピーダンスは、短絡とした高調波に対して、奇数次高調波のときは開放、偶数時高調波のときは短絡となる。
したがって、前記実施の形態１による整流器と比べて、高いＲＦ−ＤＣ変換効率が得られる。
【００２３】
又、高調波短絡回路９により、少なくとも１つ以上の高調波を、高調波短絡回路９の出力端子９ｂにおいて短絡したため、高調波短絡回路９により、短絡とした高調波に対して整流素子１からの再放射量を抑圧できる。
【００２４】
したがって、前記実施の形態１による整流器と同様に、基本波で１／４波長となるインピーダンス変成器３により、整流素子１の基本波インピーダンスＺｄを信号源インピーダンスＺ０近傍の値となる中間インピーダンスＺｘに変換し、整合回路４により、中間インピーダンスＺｘと信号源インピーダンスＺ０の整合を取ることで、整合回路４の電気長に対する整流器の基本波入力インピーダンス１／Ｙｉｎ―の変化量は小さくなることから、整流器の製作時における製造誤差による整合のずれを小さくできる。
【００２５】
尚、高調波短絡回路９は、図８に示すように、少なくとも１つ以上の高調波に対して、それぞれ１／４波長となるオープンスタブが並列接続された構成としていても良い。
図８では、２次高調波に対して１／４波長となるオープンスタブ９１と、３次高調波に対して１／４波長となるオープンスタブ９２が並列接続された高調波短絡回路９を示している。
【００２６】
又、高調波短絡回路９は、図９に示すように、少なくとも１つ以上の高調波に対して、それぞれ直列共振周波数を有する誘導素子Ｌと容量素子Ｃの直列共振回路からなり、直列共振回路の一端が高周波短絡回路９の入力端子９ａと出力端子９ｂを結ぶ伝送線路に接続され、他端が接地された構成としていても良い。
図９では、２次高調波に対して直列共振周波数を有する誘導素子Ｌ９３と容量素子Ｃ９３の直列共振回路９３からなり、直列共振回路９３の一端が高周波短絡回路９の入力端子９ａと出力端子９ｂを結ぶ伝送線路に接続され、他端が接地される。
又、３次高調波に対して直列共振周波数を有する誘導素子Ｌ９４と容量素子Ｃ９４の直列共振回路９４からなり、直列共振回路９４の一端が高周波短絡回路９の入力端子９ａと出力端子９ｂを結ぶ伝送線路に接続され、他端が接地される。
図９では、このような構成を示している。
【００２７】
更に、高調波短絡回路９は、図１０に示すように、少なくとも１つ以上の高調波に対して、それぞれ１／４波長となるオープンスタブを含み、オープンスタブの一端が高周波短絡回路９の入力端子９ａと出力端子９ｂを結ぶ伝送線路に接続され、又、少なくとも１つ以上の高調波に対して、それぞれ直列共振周波数を有する誘導素子Ｌと容量素子Ｃの直列共振回路を含み、直列共振回路の一端が高周波短絡回路９の入力端子９ａと出力端子９ｂを結ぶ伝送線路に接続され、他端が接地された構成としていても良い。
図１０では、３次高調波に対して１／４波長となるオープンスタブ９２の一端が高周波短絡回路９の入力端子９ａと出力端子９ｂを結ぶ伝送線路に接続され、又、２次高調波に対して直列共振周波数を有する誘導素子Ｌ９３と容量素子Ｃ９３の直列共振回路９３の一端が高周波短絡回路９の入力端子９ａと出力端子９ｂを結ぶ伝送線路に接続され、他端が接地された高調波短絡回路９を示している。
高調波の次数が低い程、１／４波長となるオープンスタブの線路長は長くなることから、図１０に示した高調波短絡回路９では、図８に示した構成と比較して、高調波短絡回路９のサイズを小さくできる。
【００２８】
尚、整合回路４は、図５に示すように、基本波を通過させ、少なくとも１つ以上の高調波を反射する入力フィルタ部４１と、基本波において、中間インピーダンスＺｘと信号源インピーダンスＺ０の整合を取る基本波整合部４２とで構成されていても良い。
【００２９】
又、整合回路４に備えた入力フィルタ部４１は、図６に示すように、それぞれの高調波に対して開放となる誘導素子Ｌと容量素子Ｃの並列共振回路の直列接続で構成されていても良い。
【００３０】
更に、基本波で１／４波長となるインピーダンス変成器３により、整流素子１の基本波インピーダンスＺｄを信号源インピーダンスＺ０に変換しても良い。
【００３１】
以上のように、この実施の形態２によれば、前記実施の形態１の構成に加えて、インピーダンス変成器３の前段であり、整合回路４の後段に、少なくとも１つ以上の高調波を、高調波短絡回路９の出力端子９ｂにおいて短絡する高調波短絡回路９を備えことを特徴とする。
これにより、前記実施の形態１の効果に加えて、高調波短絡回路９と、基本波で１／４波長となるインピーダンス変成器３により、整流素子１から入力端子５側を見たインピーダンスは、短絡とした高調波に対して、奇数次高調波のときは開放、偶数時高調波のときは短絡となるので、高いＲＦ−ＤＣ変換効率が得られる。
又、高調波短絡回路９により、少なくとも１つ以上の高調波を、高調波短絡回路９の出力端子９ｂにおいて短絡したため、高調波短絡回路９により、短絡とした高調波に対して整流素子１からの再放射量を抑圧できる。
【００３２】
なお、この願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３３】
１  整流素子、２  出力フィルタ、３  インピーダンス変成器、４  整合回路、５，９ａ  入力端子、６，９ｂ  出力端子、７  伝送線路、８，９１，９２  オープンスタブ、９  高調波短絡回路、４１  入力フィルタ部、４２  基本波整合部、９３，９４  直列共振回路、４１１，４１２  並列共振回路。
【図１】
2014116783.tif 000009
【図２】
2014116783.tif 000010
【図３】
2014116783.tif 000011
【図４】
2014116783.tif 000012
【図５】
2014116783.tif 000013
【図６】
2014116783.tif 000014
【図７】
2014116783.tif 000015
【図８】
2014116783.tif 000016
【図９】
2014116783.tif 000017
【図１０】
2014116783.tif 000018